(57)【特許請求の範囲】
【請求項１】
略四角形の紙を巻いて１対の対辺部分を重ねて接着して形成した円筒体である平巻紙管を用いた容器であって、
前記平巻紙管で形成された側部および紙製円板状の底板を有し、上方に開口した容体と、
前記平巻紙管で形成された側部および円板状の天板を有し、下方に開口した蓋体とを備え、
前記容体の側部が、それぞれ前記平巻紙管で形成された外側側部と内側側部とからなり、その内側側部が外側側部の内側に嵌合して接着されて、内側側部の上部が外側側部の上部から突出して突出部を形成しており、
前記容体の内側側部を形成する前記平巻紙管における重ねられた対辺部分のうち外側の一部が、前記突出部において周方向に凹入または突出して係合部を形成し、
前記蓋体の側部を形成する前記平巻紙管における重ねられた対辺部分のうち内側の一部が周方向に突出または凹入して係合部を形成し、
前記蓋体の側部が前記容体の突出部を覆うように蓋体が容体に被せられ、蓋体と容体が周方向に相対回転されることにより、前記蓋体の係合部と容体の係合部が係合して、蓋体と容体との上下方向への抜け止めがなされる容器。
【請求項２】
請求項１の容器の蓋体と容体との間に単数または複数の中間容体を重箱状に組み入れた容器であって、
前記中間容体は、前記容体において、さらに、前記底板が前記内側側部の下部に嵌合するとともに、前記外側側部の下部が内側側部の下部よりも延出して延出部を形成することにより、下方にも開口し、外側側部を形成する前記平巻紙管における重ねられた対辺部分のうち内側の一部が、前記延出部において周方向に突出または凹入して中間係合部を形成したものであり、
前記蓋体の側部が前記中間容体の突出部を覆うように蓋体が中間容体に被せられ、蓋体と中間容体が周方向に相対回転されることにより、前記蓋体の係合部と中間容体の係合部が係合して、蓋体と中間容体との上下方向への抜け止めがなされ、
前記中間容体の延出部が前記容体または他の中間容体の突出部を覆うように中間容体が容体または他の中間容体に被せられ、中間容体と容体または他の中間容体が周方向に相対回転されることにより、前記中間容体の中間係合部と容体または他の中間容体の係合部が係合して、中間容体と容体または他の中間容体との上下方向への抜け止めがなされる容器。
【請求項３】
請求項２において、
前記中間容体の内側側部を形成する前記平巻紙管における重ねられた対辺部分のうち外側の一部が、前記突出部よりも下において周方向に凹入または突出して組立係合部を形成し、
前記中間容体の外側側部を形成する前記平巻紙管における重ねられた対辺部分のうち内側の一部が、前記延出部よりも上において周方向に突出または凹入して組立係合部を形成し、
前記中間容体の組立の際に、内側側部が外側側部に上から挿入され、内側側部と外側側部が周方向に相対回転され、さらに上下方向に相対移動されることにより、前記内側側部の組立係合部と外側側部の組立係合部が係合して、内側側部と外側側部との上下方向の位置決めがなされて接着される容器。
【発明の詳細な説明】
【０００１】
【発明の属する技術分野】
本発明は、いわゆる平巻紙管を用いた容器に関する。
【０００２】
【従来の技術】
複数の帯状の紙をらせん状に型に巻き付けて相互に接着して形成した筒体であるいわゆるスパイラル紙管に対し、略四角形の紙を巻いて１対の対辺部分を重ねて接着して形成した筒体であるいわゆる平巻紙管は、低コスト性、リサイクルのしやすさ、側面に直接印刷して美麗に仕上げられること等の点で優れており、平巻紙管を用いた容器（これも含めて平巻紙管と呼ぶこともある）も同様に優れ、種々の内容物（商品）を収納する容器として利用されている。
【０００３】
平巻紙管を用いた容器の従来例として、例えば上方に開口した容体と、下方に開口した蓋体とを備えたものがある。この場合、容体は、平巻紙管で形成された側部および紙製円板状の底板を有する。蓋体は、平巻紙管で形成された側部および円板状の天板を有し、その側部を前記容体の側部に外嵌させることにより、容体の開口が蓋閉めされる。
【０００４】
【発明が解決しようとする課題】
しかし、平巻紙管を用いた前記構成の容器では、容体の側部に蓋体の側部を単純に外嵌させる蓋閉め構造であるため、蓋閉め状態で蓋体をつかんで容器全体を持ち上げようとすると、蓋体が容体から簡単に外れて、蓋体だけが持ち上がるという問題点があった。
【０００５】
本発明は前記従来の問題に鑑みてなされたもので、平巻紙管を用いた容器であって、蓋体の上下方向への抜け止めが可能なものを提供することを目的とする。
【０００６】
【課題を解決するための手段】
前記目的を達成するために、本願第１の発明の容器は、略四角形の紙を巻いて１対の対辺部分を重ねて接着して形成した円筒体である平巻紙管を用いた容器であって、容体と、蓋体とを備えている。容体は、平巻紙管で形成された側部および紙製円板状の底板を有し、上方に開口する。蓋体は、平巻紙管で形成された側部および円板状の天板を有し、下方に開口する。前記容体の側部は、それぞれ前記平巻紙管で形成された外側側部と内側側部とからなり、その内側側部が外側側部の内側に嵌合して接着されて、内側側部の上部が外側側部の上部から突出して突出部を形成している。
【０００７】
前記容体の内側側部を形成する前記平巻紙管における重ねられた対辺部分のうち外側の一部には、前記突出部において周方向に凹入または突出して係合部が形成されている。また、前記蓋体の側部を形成する前記平巻紙管における重ねられた対辺部分のうち内側の一部には、周方向に突出または凹入して係合部が形成されている。前記蓋体はその側部が前記容体の突出部を覆うように容体に被せられ、蓋体と容体が周方向に相対回転されることにより、前記蓋体の係合部と容体の係合部が係合して、蓋体と容体との上下方向への抜け止めがなされる。
【０００８】
本願第１の発明の容器では、蓋体の側部が容体の突出部を覆うように蓋体を容体に被せた状態で、蓋体と容体を周方向に相対回転させると、蓋体の係合部と容体の係合部が係合して、蓋閉め状態において蓋体と容体との上下方向への抜け止めがなされる。したがって、蓋閉め状態で蓋体をつかんで容器全体を持ち上げようとしても、蓋体が容体から簡単に外れることがなく、容器全体が持ち上がる。
【０００９】
本願第２の発明の容器は、前記第１の発明の容器の蓋体と容体との間に単数または複数の中間容体を重箱状に組み入れたものである。前記中間容体は、前記容体の構造において、さらに、前記底板が前記内側側部の下部に嵌合するとともに、前記外側側部の下部が内側側部の下部よりも延出して延出部を形成することにより、下方にも開口している。また、中間容体の外側側部を形成する前記平巻紙管における重ねられた対辺部分のうち内側の一部には、前記延出部において周方向に突出または凹入して中間係合部が形成されている。
【００１０】
前記蓋体はその側部が前記中間容体の突出部を覆うように中間容体に被せられ、蓋体と中間容体が周方向に相対回転されることにより、前記蓋体の係合部と中間容体の係合部が係合して、蓋体と中間容体との上下方向への抜け止めがなされる。前記中間容体はその延出部が前記容体または他の中間容体の突出部を覆うように容体または他の中間容体に被せられ、中間容体と容体または他の中間容体が周方向に相対回転されることにより、前記中間容体の中間係合部と容体または他の中間容体の係合部が係合して、中間容体と容体または他の中間容体との上下方向への抜け止めがなされる。
【００１１】
本願第２の発明の容器では、蓋体の側部が中間容体の突出部を覆うように蓋体を中間容体に被せた状態で、蓋体と中間容体を周方向に相対回転させると、蓋体の係合部と中間容体の係合部が係合して、中間容体を蓋閉めした状態で蓋体と中間容体との上下方向への抜け止めがなされる。また、前記中間容体の延出部が容体または他の中間容体の突出部を覆うように中間容体を容体または他の中間容器に被せた状態で、中間容状態と容体または他の中間容体を周方向に相対回転させると、中間容体の中間係合部と容体または他の中間容体の係合部が係合して、中間容体と容体または他の中間容体との上下方向への抜け止めがなされる。これにより、蓋体、中間容体および容体を、互いに上下方向へ抜け止めされた状態で重箱状に連結できる。したがって、連結された状態で蓋体または中間容体をつかんで容器全体を持ち上げようとしても、つかんだ蓋体または中間容体がその下の中間容体または容体から簡単に外れることがなく、容器全体が持ち上がる。
【００１２】
この第２の発明の容器において、前記中間容体の内側側部を形成する前記平巻紙管における重ねられた対辺部分のうち外側の一部が、前記突出部よりも下において周方向に凹入または突出して組立係合部を形成し、前記中間容体の外側側部を形成する前記平巻紙管における重ねられた対辺部分のうち内側の一部が、前記延出部よりも上において周方向に突出または凹入して組立係合部を形成し、前記中間容体の組立の際に、内側側部が外側側部に上から挿入され、内側側部と外側側部が周方向に相対回転され、さらに上下方向に相対移動されることにより、前記内側側部の組立係合部と外側側部の組立係合部が係合して、内側側部と外側側部との上下方向の位置決めがなされて接着されるものとしてもよい。
【００１３】
このように構成した場合には、中間容体の側部を構成する内側側部および外側側部の両組立係合部の係合により、その内側側部と外側側部とが上下方向に位置決めされるので、外側側部における延出部の延出量や、内側側部における突出部の突出量を正確に設定できるとともに、内側側部と外側側部の上下方向への抜け止め強度を向上させることができる。
【００１４】
【発明の実施の形態】
以下、本発明の第１実施形態である平巻紙管を用いた容器を図面にしたがって説明する。この容器は、図１に蓋閉め状態を、図２に容体５から蓋体８を外した状態をそれぞれ斜視図で示すように、略長方形の紙を巻いて１対の対辺部分を重ねて接着して形成した円筒体である平巻紙管１，２，６を用いた容器であって、容体５と、蓋体８とを備えている。容体５は、平巻紙管１，２で形成された側部３と、その側部３の内側に嵌合する紙製で円板状の底板４とを有し、上方に開口する。蓋体８は、平巻紙管で形成された側部６と、その側部６の内側に嵌合する紙製で円板状の天板７とを有し、下方に開口する。
【００１５】
より具体的には、容体５の側部３は、それぞれ平巻紙管で形成された外側側部１と内側側部２とからなり、その内側側部２が外側側部１の内側に嵌合して接着されて、内側側部２の上部が外側側部１の上部から突出して突出部９を形成している。また、容体５の内側側部２を形成する平巻紙管における重ねられた対辺部分２ａのうち外側の一部が、前記突出部９において周方向に凹入する係合部１０を形成している。さらに、蓋体８の側部６を形成する平巻紙管における重ねられた対辺部分６ａのうち内側の一部が、周方向に突出して係合部１１を形成している。なお、本願発明の実施形態の説明において、周方向への突出、凹入は、周方向左回りへの突出、凹入をいうこととする。
【００１６】
容体５から蓋体８を外した状態の垂直断面図である図３に示すように、蓋体８の側部６を形成する平巻紙管の上端部と、容体５の外側側部１を形成する平巻紙管の下端部と、容体５の内側側部２を形成する平巻紙管の上端部とは、内側に巻き込まれている。そして、蓋体８の天板７は、図４に分解斜視図で示すように、下側から側部６に挿入されて嵌合し、側部６の巻き込まれた上端部に当接している。天板７は、周囲の数箇所において、対応する側部６に接着してもよい。同様に、図５に分解斜視図で示すように、容体５の底板４は、上側から外側側部１に挿入されて嵌合し、外側側部１の巻き込まれた下端部に当接する。外側側部１に底板４を嵌合させた後で、内側側部２が上側から外側側部１に挿入されて嵌合し、外側側部１の巻き込まれた下端部と内側側部２の下端部とで底板４を挟んだ状態で、内側側部２が外側側部１に接着される。
【００１７】
図２の蓋体８は、その側部６が容体５の突出部９を覆うように容体５に被せられ、蓋体８と容体５が周方向に相対回転されることにより、蓋体８の係合部１１と容体５の係合部１０が係合する。より詳細には、周方向（左回り）に突出した蓋体８の係合部１１が同方向に凹入した容体５の係合部１０に嵌入するように、容体５に対して、蓋体８が周方向（左回り）に回転される。これにより、蓋体８と容体５との上下方向への抜け止めがなされた状態で、容体５が蓋閉めされる（図１）。
【００１８】
なお、本実施形態では、容体５の突出部９の係合部１０を周方向（左回り）に凹入した形状とし、これに係合する蓋体８の係合部１１を同方向に突出した形状としたが、逆に容体５の係合部１０が周方向（左回り）に突出した形状で、これに係合する蓋体８の係合部１１が同方向に凹入した形状であってもよい。
【００１９】
次に、本発明の第２実施形態である平巻紙管を用いた容器について説明する。この容器は、図６に蓋閉め状態を、図７に容体５、中間容体２５および蓋体８を分離した状態をそれぞれ斜視図で示すように、前記第１実施形態の容器の蓋体８と容体５との間に中間容体２５を重箱状に組み入れたものである。
【００２０】
中間容体２５は、前記容体５の構造において、底板２４が内側側部２２の下部に嵌合するとともに、外側側部２１の下部が内側側部２２よりも延出して延出部２６を形成することにより、下方にも開口している。中間容体２５の側部２３が外側側部２１と内側側部２２とからなること、および内側側部２２の上部が外側側部２１の上部から突出して突出部２９を形成することは、容体５の場合と同様である。外側側部２１を形成する平巻紙管における重ねられた対辺部分２１ａのうち内側の一部は、前記延出部２６において周方向に突出して中間係合部３１を形成している。内側側部２２を形成する平巻紙管における重ねられた対辺部分２２ａのうち外側の一部が、前記突出部２９において周方向に凹入して係合部３０を形成することは、容体５の場合と同様である。
【００２１】
容体５、中間容体２５および蓋体８を分離した状態の垂直断面図である図８に示すように、中間容体２５の内側側部２２を形成する平巻紙管の下端部と上端部とは、内側に巻き込まれている。そして、中間容体２５の底板２４は、図９の分解斜視図に示すように上側から内側側部２２に挿入されて嵌合し、図８の内側側部２２の巻き込まれた下端部に当接する。底板２４は、周囲の数箇所において、対応する内側側部２２に接着してもよい。
【００２２】
また、図９に示すように、中間容体２５の内側側部２２を形成する平巻紙管における重ねられた対辺部分２２ａのうちの外側の一部は、前記突出部２９（図７）よりも下において周方向に凹入して組立係合部３２を形成している。さらに、中間容体２５の外側側部２１を形成する平巻紙管における重ねられた対辺部分２１ａのうちの内側の一部は、前記延出部２６（図７）よりも上において周方向に突出して組立係合部３３を形成している。
【００２３】
この中間容体２５の組立は、容体５の場合と同様に、内側側部２２を外側側部２１の内側に嵌合して接着することにより行われるが、ここでは内側側部２２が外側側部２１に上から挿入され、次いで内側側部２２と外側側部２１が周方向に相対回転される。より詳細には、周方向（左回り）に突出した外側側部２１の組立係合部３３の突出端が、同方向に凹入した内側側部２２の組立係合部３２の凹入端に当接するまで、内側側部２２に対して、外側側部２１が周方向（左回り）に回転される。これにより、内側側部２２と外側側部２１との周方向の位置決めがなされる。
【００２４】
さらに、内側側部２２と外側側部２１が上下方向に相対移動される。より詳細には、内側側部２２が上に、外側側部２１が下に移動されることにより、前記内側側部の組立係合部３２と外側側部２１の組立係合部３３が上下方向にも係合して、内側側部２２と外側側部２１との上下方向の位置決めがなされる。このように、組立係合部３２，３３の係合により内側側部２２と外側側部２１とが上下方向に位置決めされるので、図７の外側側部２１における延出部２６の延出量や、内側側部２２における突出部２９の突出量を正確に設定できるとともに、内側側部２２と外側側部２１の上下方向への抜け止め強度を向上させることができる。
【００２５】
なお、本実施形態では、内側側部２２の組立係合部３２を周方向（左回り）に凹入した形状とし、これに係合する外側側部２１の組立係合部３３を同方向に突出した形状としたが、逆に内側側部２２の組立係合部３２が周方向（左回り）に突出した形状で、これに係合する外側側部２１の組立係合部３３が同方向に凹入した形状であってもよい。
【００２６】
中間容体２５は、その延出部２６が容体５の突出部９を覆うように容体５に被せられ、中間容体２５と容体５が周方向に相対回転されることにより、中間容体２５の中間係合部３１と容体５の係合部１０が係合する。より詳細には、周方向（左回り）に突出した中間容体２５の中間係合部３１が同方向に凹入した容体５の係合部１０に嵌入するように、容体５に対して、中間容体２５が周方向（左回り）に回転される。これにより、中間容体２５と容体５との上下方向への抜け止めがなされる。
【００２７】
なお、本実施形態では、容体５の突出部９の係合部１０を周方向（左回り）に凹入した形状とし、これに係合する中間容体２５の中間係合部３１を同方向に突出した形状としたが、逆に容体５の係合部１０が周方向（左回り）に突出した形状で、これに係合する中間容体２５の中間係合部３１が同方向に凹入した形状であってもよい。
【００２８】
また、蓋体８は、前記第１実施形態で容体５に被せられて抜け止めされたのと同様に、蓋体８の側部６が中間容体２５の突出部２９を覆うように中間容体２５に被せられ、蓋体８と中間容体２５が周方向に相対回転されることにより、蓋体８の係合部１１と中間容体２５の係合部３０が係合して、蓋体８と中間容体２５との上下方向への抜け止めがなされる。
【００２９】
なお、本実施形態では、第１実施形態における容器の容体５と蓋体８との間に１つの中間容体２５を組み入れた場合を示したが、複数の中間容体２５を組み入れてもよい。複数の中間容体２５を組み入れる場合、上下の中間容体２５，２５の間では、上側の中間容体２５の延出部２６が下側の中間容体２５の突出部２９を覆うように、上側の中間容体２５が下側の中間容体２５に被せられ、上下の中間容体２５，２５が周方向に相対回転されることにより、上側の中間容体２５の中間係合部３１と下側の中間容体２５の係合部３０が係合して、上下の中間容体２５，２５の上下方向への抜け止めがなされる。
【００３０】
以上の第１、第２実施形態のような平巻紙管１，２，６，２１，２２用いる容器においては、容器を構成する全部品を、同一の材料（紙シート）から、係合部などの形状も含めて型抜きして作製できるので、作製が容易である。また、蓋体８の天板７を紙でなく透明の例えば塩化ビニルシートで形成すれば、蓋体８を装着したままでその下の内容物を上から見て確認することができる。
【００３１】
【発明の効果】
以上詳細に説明したように、本発明の平巻紙管を用いた容器では、蓋体の上下方向への抜け止めが可能で、蓋閉め状態で蓋体をつかんで容器全体を持ち上げようとしても、蓋体だけが簡単に外れて持ち上がることがない。
【図面の簡単な説明】
【図１】本発明は第１実施形態である平巻紙管を用いた容器において、容体に蓋体を被せた状態を示す斜視図である。
【図２】同容器において、容体から蓋体を外した状態を示す斜視図である。
【図３】同容器において、容体から蓋体を外した状態を示す垂直断面図である。
【図４】同容器における蓋体の分解斜視図である。
【図５】同容器における容体の分解斜視図である。
【図６】本発明は第２実施形態である平巻紙管を用いた容器において、容体、中間容体および蓋体を組み立てた状態を示す斜視図である。
【図７】同容器において、容体、中間容体および蓋体を分離した状態を示す斜視図である。
【図８】同容器において、容体、中間容体および蓋体を分離した状態を示す垂直断面図である。
【図９】同容器における中間容体の分解斜視図である。
【符号の説明】
１，２，６，２１，２２…平巻紙管、１…容体の外側側部、２…容体の内側側部、２ａ…内側側部の対辺部分、３…容体の側部、４…容体の底板、５…容体、６…蓋体の側部、６ａ…蓋体側部の対辺部分、７…天板、８…蓋体、９…容体の突出部、１０…容体の係合部、１１…蓋体の係合部、２１…中間容体の外側側部、２１ａ…外側側部の対辺部分、２２…中間容体の内側側部、２２ａ…内側側部の対辺部分、２４…中間容体の底板、２５…中間容体、２６…中間容体の延出部、２９…中間容体の突出部、３０…中間容体の係合部、３１…中間容体の中間係合部、３２…内側側部の組立係合部、３３…外側側部の組立係合部。
【図１】
0003619815.tif 000002
【図２】
0003619815.tif 000003
【図３】
0003619815.tif 000004
【図４】
0003619815.tif 000005
【図５】
0003619815.tif 000006
【図６】
0003619815.tif 000007
【図７】
0003619815.tif 000008
【図８】
0003619815.tif 000009
【図９】
0003619815.tif 000010